(57)【要約】【課題】無造作にパフを収容して蓋体を容器本体に螺合しても、内部に収容されるパフがねじに噛み込まれることを適切に防止することが可能で、使い勝手を向上することができるパウダー化粧料容器を提供する。【解決手段】パウダー化粧料Ｐを収納する容器本体２の円環状外ねじ部８に、容器本体に被せる蓋体３の円環状内ねじ部９を螺合することにより、本体部分４ａから外方へ長く毛足部分４ｂを伸ばしたパフ４を内部に収容するようにしたパウダー化粧料容器１であって、蓋体内部に、蓋体の内面に沿うドーム形状に形成されると共にその下方開口縁部１１ａが環状内ねじ部に面しかつ環状外ねじ部よりも小さく形成され、環状内ねじ部を環状外ねじ部に螺合するために当該蓋体を容器本体に被せたときに、パフに外側から当接してその本体部分を容器本体中央へ向かって押圧しつつ、パフの毛足部分をこれら環状外ねじ部及び環状内ねじ部から遮るカバー部材１１を設けた。【選択図】図３
2011255118.tif 000002
【特許請求の範囲】
【請求項１】
パウダー化粧料を収納する容器本体の環状外ねじ部に、当該容器本体に被せる蓋体の環状内ねじ部を螺合することにより、本体部分から外方へ長く毛足部分を伸ばしたパフを内部に収容するようにしたパウダー化粧料容器であって、
上記蓋体内部に、該蓋体の内面に沿うドーム形状に形成されると共にその下方開口縁部が上記環状内ねじ部に面しかつ上記環状外ねじ部よりも小さく形成され、該環状内ねじ部を該環状外ねじ部に螺合するために当該蓋体を上記容器本体に被せたときに、上記パフに外側から当接してその本体部分を該容器本体中央へ向かって押圧しつつ、該パフの毛足部分をこれら環状外ねじ部及び環状内ねじ部から遮るカバー部材を設けたことを特徴とするパウダー化粧料容器。
【請求項２】
前記カバー部材に代えて、前記蓋体の下方開口縁部に、前記環状内ねじ部に面しかつ前記環状外ねじ部よりも小さく形成され、該環状内ねじ部を該環状外ねじ部に螺合するために当該蓋体を前記容器本体に被せたときに、前記パフに外側から当接してその本体部分を該容器本体中央へ向かって押圧しつつ、該パフの毛足部分をこれら環状外ねじ部及び環状内ねじ部から遮るカバー部を一体形成したことを特徴とする請求項１に記載のパウダー化粧料容器。
【発明の詳細な説明】
【技術分野】
【０００１】
本発明は、無造作にパフを収容して蓋体を容器本体に螺合しても、内部に収容されるパフがねじに噛み込まれることを適切に防止することが可能で、使い勝手を向上することができるパウダー化粧料容器に関する。
【背景技術】
【０００２】
パウダー化粧料を収納する容器本体の環状外ねじ部に、当該容器本体に被せる蓋体の環状内ねじ部を螺合することにより、パフを内部に収容するようにしたパウダー化粧料容器としては、特許文献１や特許文献２が知られている。
【０００３】
特許文献１の「化粧料容器」は、容器本体の開口部に穴あき中皿を螺合し、レフィルを着脱交換可能にした化粧料容器において、容器本体の内側にその外周壁より背の低い内周壁を設け、該内周壁と外周壁の内周面との間に粉溜り用の空間を形成すると共に、前記空間の上方に突出させて容器本体の外周壁の内周面に周方向に複数のリブを設け、これらのリブの頂面を同じ面一に形成し、該リブの頂面に前記レフィルのフランジ部を載置し、該フランジ部を前記穴あき中皿の内側縁部下端とで押さえて挟持するようにしている。
【０００４】
特許文献２の「粉末化粧料容器」は、容器本体に収納凹部を備え、この収納凹部に粉末化粧料を収納し、その粉末化粧料を取出口から取出し可能となる粉末化粧料容器において、前記収納凹部の内周に弾性筒体の下端部を取り付け、この下端部から前記取出口に向けて壁を形成し、弾性筒体の上端部を前記取出口の近傍に配置し、前記壁を弾性変形させることにより、弾性筒体の上端部を収納凹部の底部に向けて移動可能に形成し、この弾性筒体の上端部にメッシュの外周を取り付け、このメッシュを覆うとともに前記取出口を密閉することができる中蓋を、前記容器本体にねじ結合している。
【０００５】
いずれにあっても、容器本体には、ねじ部分で蓋体が螺合され、内部にパフが収容されている。
【先行技術文献】
【特許文献】
【０００６】
【特許文献１】特開２０００−１２５９２８号公報
【特許文献２】特開２００２−１６５６３５号公報
【発明の概要】
【発明が解決しようとする課題】
【０００７】
容器本体に蓋体をねじ部分で螺合するタイプのパウダー化粧料容器では、ねじ部分でパフを噛み込んでしまうおそれがある。いずれの特許文献にあっても、折り返し部を外周縁に形成した中皿や中蓋の内方にパフを収容していて、これにより、パフは、中皿等でねじ部分から遮られ、噛み込みのおそれはないが、その分、パウダー化粧料の収納量に比して、パウダー化粧料容器が大型化してしまう。
【０００８】
パウダー化粧料容器ａを小型化する場合、図５に示すように、中皿等を廃止し、パフｂを容器本体ｃ内に収納したパウダー化粧料ｄ上に直接載せるようにして、容器本体ｃ及び蓋体ｅの外回り寸法を小さくすることが考えられる。
【０００９】
しかしながら、このように構成すると、容器本体ｃに蓋体ｅを螺合するねじ部分ｆから、パフｂを遮るものがなくなり、ねじ部分ｆでパフｂを噛み込んでしまうおそれが高くなってしまう。パフｂについては、本体部分ｇから外方へ長く毛足部分ｈを伸ばすようにすると、パウダー化粧料ｄの付着性が良好となり、使い勝手がよい。この毛足部分ｈの長いパフｂは、さらに噛み込みを起こしやすく、蓋体ｅを容器本体ｃに螺合する際、締め難いという課題があった。
【００１０】
また、螺合することができたとしても、噛み込まれた毛足部分ｈが変形してしまい、蓋体ｅを空けてパフｂを使用するときに、毛足部分ｈに乱れが残って、パフｂの使用性を損なうこととなってしまう。このような事態を避けるためには、容器本体ｃに蓋体ｅを被せるときに、手指でパフｂの毛足部分ｈを容器本体ｃ内方へ押し込めばよいが、毛足部分ｈは柔軟なものであり、押し込むのに手間がかかってしまうという問題もあった。
【００１１】
本発明は上記従来の課題に鑑みて創案されたものであって、無造作にパフを収容して蓋体を容器本体に螺合しても、内部に収容されるパフがねじに噛み込まれることを適切に防止することが可能で、使い勝手を向上することができるパウダー化粧料容器を提供することを目的とする。
【課題を解決するための手段】
【００１２】
本発明にかかるパウダー化粧料容器は、パウダー化粧料を収納する容器本体の環状外ねじ部に、当該容器本体に被せる蓋体の環状内ねじ部を螺合することにより、本体部分から外方へ長く毛足部分を伸ばしたパフを内部に収容するようにしたパウダー化粧料容器であって、上記蓋体内部に、該蓋体の内面に沿うドーム形状に形成されると共にその下方開口縁部が上記環状内ねじ部に面しかつ上記環状外ねじ部よりも小さく形成され、該環状内ねじ部を該環状外ねじ部に螺合するために当該蓋体を上記容器本体に被せたときに、上記パフに外側から当接してその本体部分を該容器本体中央へ向かって押圧しつつ、該パフの毛足部分をこれら環状外ねじ部及び環状内ねじ部から遮るカバー部材を設けたことを特徴とする。
【００１３】
前記カバー部材に代えて、前記蓋体の下方開口縁部に、前記環状内ねじ部に面しかつ前記環状外ねじ部よりも小さく形成され、該環状内ねじ部を該環状外ねじ部に螺合するために当該蓋体を前記容器本体に被せたときに、前記パフに外側から当接してその本体部分を該容器本体中央へ向かって押圧しつつ、該パフの毛足部分をこれら環状外ねじ部及び環状内ねじ部から遮るカバー部を一体形成したことを特徴とする。
【発明の効果】
【００１４】
本発明にかかるパウダー化粧料容器にあっては、無造作にパフを収容して蓋体を容器本体に螺合しても、内部に収容されるパフがねじに噛み込まれることを適切に防止することができ、使い勝手を向上することができる。
【図面の簡単な説明】
【００１５】
【図１】本発明に係るパウダー化粧料容器の好適な一実施形態を示す斜視図である。
【図２】図１に示したパウダー化粧料容器の側断面図である。
【図３】図１のパウダー化粧料容器を構成する容器本体に蓋体を被せた状態を示す要部拡大側断面図である。
【図４】本発明に係るパウダー化粧料容器の変形例を示す側断面図である。
【図５】課題を説明するためのパウダー化粧料容器の要部拡大側断面図である。
【発明を実施するための形態】
【００１６】
以下に、本発明に係るパウダー化粧料容器の好適な実施形態を、添付図面を参照して詳細に説明する。図１〜図３に示すように、本実施形態に係るパウダー化粧料容器１は主に、容器本体２と、容器本体２に被せられる蓋体３と、容器本体２を蓋体３で覆った内部に収容されるパフ４とを備えて構成される。
【００１７】
容器本体２は、周壁部５を備える。周壁部５には、その内方に、パウダー化粧料Ｐを収納した皿体６を収納する凹所７が形成される。周壁部５には、これより上方へ立ち上げて、凹所７を取り囲む円環状外ねじ部８が形成される。円環状外ねじ部８は、環状壁部８ａと、環状壁部８ａの外側に面して形成した雄ねじ８ｂとから構成される。
【００１８】
パフ４は、容器本体２に収納したパウダー化粧料Ｐの上に載せて設けられる。パフ４は、クッション性を有する本体部分４ａと、本体部分４ａ全面を覆う毛足部分４ｂとから構成される。毛足部分４ｂは、本体部分４ａ全面から外方へ長く伸ばして柔軟に立毛して形成される。パフ４は毛足部分４ｂも含めて、おおよそ円環状外ねじ部８の環状壁部８ａの内径寸法よりも小さい外径寸法で形成される。従ってパフ４は、円環状外ねじ部８の内方に納めて収容することができるように形成されている。
【００１９】
蓋体３は、中空円筒体状に形成された円筒状壁部９ａと、円筒状壁部９ａの上方を閉鎖する天部１０とから構成される。円筒状壁部９ａには、内側に面して、容器本体２の雄ねじ８ｂと螺合される雌ねじ９ｂが形成される。雌ねじ９ｂを形成した円筒状壁部９ａによって円環状内ねじ部９が構成される。
【００２０】
蓋体３の内部には、カバー部材１１が超音波接着等の各種接着方法で取り付けられる。カバー部材１１は、蓋体３内部に納まる大きさで、蓋体３の内面に沿うドーム形状で形成される。
【００２１】
本実施形態にあっては、カバー部材１１は、その下方開口縁部１１ａが円環状内ねじ部９の雌ねじ９ｂ部分へ達する大きさで形成されている。このため、ドーム形状のカバー部材１１の下方開口縁部１１ａ外周には、雌ねじ９ｂと螺合する雄ねじ８ｂに干渉することなく円環状外ねじ部８が蓋体３内方へ向かって進入することを許容するために、環状切り欠き部１２が形成される。この環状切り欠き部１２により、カバー部材１１の下方開口縁部１１ａには、その内縁に沿って、下向き鍔部１３が形成される。
【００２２】
下方開口縁部１１ａの下向き鍔部１３は、環状切り欠き部１２により円環状内ねじ部９の雌ねじ９ｂに対し、隙間を隔てて面するように位置され、これによりカバー部材１１の内方を雌ねじ９ｂから遮って隠蔽する。また、下向き鍔部１３は、環状切り欠き部１２により、その外径寸法が円環状外ねじ部８の環状壁部８ａの内径寸法よりも小さく形成され、これによりカバー部材１１の内方を円環状外ねじ部８から遮って隠蔽する。
【００２３】
カバー部材１１は、円環状内ねじ部９の雌ねじ９ｂを円環状外ねじ部８の雄ネジ８ｂに螺合するために蓋体３を容器本体２に被せたときに、下向き鍔部１３が円環状外ねじ部８の環状壁部８ａ内方に位置される。従って、毛足部分４ｂを含むパフ４が円環状外ねじ部８よりも外側にはみ出している場合、当該パフ４に外側から当接して、毛足部分４ｂを含めて、その本体部分４ａを容器本体２中央へ向かって押圧する。また下向き鍔部１３は、円環状外ねじ部８の雄ねじ８ｂ及び円環状内ねじ部９の雌ねじ９ｂをカバー部材１１内方から遮蔽し、従って、カバー部材１１内方に位置するパフ４の毛足部分４ｂをこれら雄ねじ８ｂや雌ねじ９ｂから遮る。
【００２４】
次に、本実施形態に係るパウダー化粧料容器１の作用について説明する。パウダー化粧料容器１の使用を終え、蓋体３を被せて容器本体２を閉じるときには、パフ４を容器本体
のパウダー化粧料Ｐ上に載せる。このとき、パフ４は、円環状外ねじ部８の内径寸法よりも小さく形成されているものの、置き方や置き場所により、毛足部分４ｂが円環状外ねじ部８の外側にはみ出す場合がある。
【００２５】
本実施形態に係るパウダー化粧料容器１では、毛足部分４ｂがはみ出していても、蓋体３を容器本体２に被せると、蓋体３内部のカバー部材１１、特に下方開口縁部１１ａの下向き鍔部１３が、毛足部分４ｂを含むパフ４と円環状外ねじ部８の環状壁部８ａとの間に割り込み、パフ４にその外側から当接して、主として本体部分４ａを容器本体２もしくは蓋体３内方へ横向きに押圧して押し込む。下向き鍔部１３がパフ４の本体部分４ａを押圧すると、パウダー化粧料Ｐ上のパフ４は毛足部分４ｂを含めて、ゆとりのある方向、すなわち容器本体２の中央へ向かって動いて、カバー部材１１内方に納まることになる。
【００２６】
また、下向き鍔部１３は、蓋体３を容器本体２に被せることで、円環状外ねじ部８の雄ねじ８ｂ及び円環状内ねじ部９の雌ねじ９ｂからカバー部材１１内方を隠蔽し、従って、カバー部材１１内方に納まるパフ４全体をこれら雄ねじ８ｂや雌ねじ９ｂから遮ることができる。
【００２７】
従って、無造作にパフ４を収容しても、毛足部分４ｂを含めてパフ４をねじ８ｂ，９ｂで噛み込んでしまうことを防ぐことができ、スムーズに蓋体３を容器本体２に螺合して締め込むことができる。従ってまた、パフ４の毛足部分４ｂを噛み込むことがないので、毛足部分４ｂに、乱れを残すような変形が生じることも防止できる。このように毛足部分４ｂの噛み込みを防止できるので、使用性の良好な毛足の長いパフ４を採用してパウダー化粧料容器１を構成することができる。
【００２８】
また、蓋体３を被せる操作だけで、カバー部材１１やその下向き鍔部１３で自然にパフ４全体を容器本体２中央へ押し込むことができるので、噛み込まないようにパフ４を手指で押し込む手間を省くことができ、パウダー化粧料容器１の操作性を向上することができる。そしてまた、雄ねじ８ｂや雌ねじ９ｂをパフ４から遮ってパフ４の噛み込みを防止するカバー部材１１の採用により、パフ４に対しこれらねじ８ｂ，９ｂを接近させて、容器本体２及び蓋体３の外回り寸法を小さくすることができ、無駄なスペースを省いて、パウダー化粧料Ｐの収納量に相応するコンパクトなパウダー化粧料容器１を構成することができる。
【００２９】
パウダー化粧料容器１を使用する際には、従前と同様に、雄ねじ８ｂと雌ねじ９ｂを緩めて蓋体３を開け、パフ４をパウダー化粧料Ｐに擦りつけることで、化粧操作を行うことができる。
【００３０】
図４には、上記実施形態の変形例が示されている。この変形例は、上記実施形態におけるカバー部材１１を、蓋体３内方に一体的に成形したものである。すなわち、蓋体３の下方開口縁部３ａには、上記カバー部材１１と同様に機能するカバー部として、下向き鍔部１３が一体形成される。具体的には、蓋体３の下方開口縁部３ａには、雌ねじ９ｂと螺合する雄ねじ８ｂを有する円環状外ねじ部８と干渉しないように、その下面内縁に沿って、下向き鍔部１３が形成される。
【００３１】
下方開口縁部３ａの下向き鍔部１３は、円環状内ねじ部９の雌ねじ９ｂに対し、隙間を隔てて面するように位置され、これにより蓋体３の内方を雌ねじ９ｂから遮って隠蔽する。また、下向き鍔部１３は、その外径寸法が円環状外ねじ部８の環状壁部８ａの内径寸法よりも小さく形成され、これにより蓋体３の内方を円環状外ねじ部８から遮って隠蔽する。
【００３２】
カバー部である下向き鍔部１３は、円環状内ねじ部９の雌ねじ９ｂを円環状外ねじ部８の雄ネジ８ｂに螺合するために蓋体３を容器本体２に被せたときに、円環状外ねじ部８の環状壁部８ａ内方に位置される。従って、毛足部分４ｂを含むパフ４が円環状外ねじ部８よりも外側にはみ出している場合、当該パフ４に外側から当接して、毛足部分４ｂを含めて、その本体部分４ａを容器本体２中央へ向かって押圧する。また下向き鍔部１３は、円環状外ねじ部８の雄ねじ８ｂ及び円環状内ねじ部９の雌ねじ９ｂを蓋体３内方から遮蔽し、従って、蓋体３内方に位置するパフ４の毛足部分４ｂをこれら雄ねじ８ｂや雌ねじ９ｂから遮るようになっている。蓋体３の下方開口縁部３ａには、下向き鍔部１３と円環状内ねじ部９との間の隙間に位置させて、これらの間に進入する円環状外ねじ部８の環状壁部８ａ上面に当接して容器本体２と蓋体３との間を気密にシールする環状のシールリング１４が形成される。
【００３３】
このような変形例にあっても、上記実施形態と同様の作用効果を奏することはもちろんである。
【符号の説明】
【００３４】
１  パウダー化粧料容器
２  容器本体
３  蓋体
３ａ  蓋体の下方開口縁部
４  パフ
４ａ  本体部分
４ｂ  毛足部分
８  円環状外ねじ部
９  円環状内ねじ部
１１  カバー部材
１１ａ  カバー部材の下方開口縁部
１３  下向き鍔部
Ｐ  パウダー化粧料
【図１】
2011255118.tif 000003
【図２】
2011255118.tif 000004
【図３】
2011255118.tif 000005
【図４】
2011255118.tif 000006
【図５】
2011255118.tif 000007